(57)【要約】【課題】  簡単なシステム構成により、再生像に重畳されているノイズ成分を除去する。【解決手段】  未記録状態のホログラフィックメモリ１２０に無変調の信号光のみを照射したときにＣＣＤイメージセンサ１０８で検出される像をノイズパターンとして確保しておき、データ再生時にはＣＣＤイメージセンサ１０８で検出された再生像から予め求めておいたノイズパターンが差し引かれる。【選択図】  図４
2005070675.tif 000002
【特許請求の範囲】
【請求項１】
信号光および参照光をホログラフィックメモリに照射することによりデータを光の干渉パターンとして記録するとともに、前記ホログラフィックメモリに参照光を照射することによって得られる再生像からデータを再生するホログラフィック記録再生システムであって、
前記ホログラフィックメモリの所定のページにおけるノイズパターンを検出するノイズパターン検出手段と、
前記ノイズパターンを前記ホログラフィックメモリに記録するノイズパターン記録手段と、
前記ホログラフィックメモリの所定のページから再生像を読み出すデータ再生手段と、
前記ノイズパターン検出手段で予め検出したノイズパターンを用いて前記再生像からノイズ成分を除去するノイズ除去手段を備えているホログラフィック記録再生システム。
【請求項２】
前記ノイズパターン検出手段は、
無変調の信号光を前記ホログラフィックメモリの所定のページに照射する信号光照射手段と、
前記ホログラフィックメモリを透過または反射した前記信号光を受光する受光手段と、
前記受光手段からのノイズパターンを圧縮するノイズパターン処理手段を備えている請求項１に記載のホログラフィック記録再生システム。
【請求項３】
ノイズパターンを記録する記録手段をさらに備えている請求項２に記載のホログラフィック記録再生システム。
【請求項４】
前記ノイズパターン記録手段は、前記ホログラフィックメモリ内の各ページで検出されたノイズパターンを本来記録すべきデータとともに当該ページ内に記録する請求項１乃至３のいずれか１項に記載のホログラフィック記録再生システム。
【請求項５】
前記ノイズパターン記録手段は、前記ホログラフィックメモリ内の各ページで検出された前記ノイズパターンを本来記録すべきデータとは別に前記ホログラフィックメモリの所定の領域に集中的に記録する請求項１乃至４のいずれか１項に記載のホログラフィック記録再生システム。
【請求項６】
前記ノイズパターン検出手段は、前記ノイズパターンをグレースケールで検出する請求項１乃至５のいずれか１項に記載のホログラフィック記録再生システム。
【請求項７】
前記ノイズパターン検出手段は、前記ホログラフィックメモリの各ページにおけるノイズパターンを順に検出する場合に、所定のページ間隔毎にノイズパターンを検出する請求項１乃至６のいずれか１項に記載のホログラフィック記録再生システム。
【請求項８】
前記データ再生手段は、ノイズパターンが記録されていないページのデータを再生する場合に、その前後のページのノイズパターンを用いて補間処理を行うことによって得られたノイズパターンを用いて前記再生像からノイズ成分を除去する請求項７に記載のホログラフィック記録再生システム。
【請求項９】
前記ノイズ除去手段は、位相コード多重記録または波長多重記録によって複数のデータが同じ場所に記録されている場合に、各データに共通のノイズパターンを用いて前記再生像からノイズ成分を除去する請求項８に記載のホログラフィック記録再生システム。
【発明の詳細な説明】
【技術分野】
【０００１】
本発明は、ホログラフィック記録再生システムに関し、より詳細には、データ再生時に再生像に重畳されているノイズを除去することが可能なホログラフィック記録再生システムに関するものである。
【背景技術】
【０００２】
大容量かつ高速記録再生が可能なホログラフィック記録再生システムが注目されている。ホログラフィック記録再生システムにおけるデータの記録では、記録すべきデータに基づいて空間的に変調された信号光およびこれと可干渉性を有する参照光を記録媒体であるホログラフィックメモリ内で互いに交差するように照射することで、データが光の干渉パターンとして記録される。
【０００３】
こうしてホログラフィックメモリに記録されたデータは、参照光を照射することによって再生することができる。干渉パターンが形成された所定の記録位置（以下、ページという）に照射された参照光は干渉縞の格子により回折して、再生像として生成されるので、これをＣＣＤイメージセンサなどの受光手段で検出することでデータが再生される。このシステムによれば、ホログラフィックメモリに記録されたイメージデータが参照光の入射で一度に再生されるため、高速再生を実現することが可能である。
【０００４】
一般に、ホログラフィック記録再生システムにおいて再生されたデータにはノイズ成分が含まれているため、これを何らかの方法で除去する必要がある。ノイズ成分は、光源やレンズなどの光学系に由来するもの、メディア自身によるもの、あるいはＳＬＭやＣＣＤなどの入出力デバイスに由来するものなど様々である。
【０００５】
ノイズを除去する一般的な方法としては、検出された再生像に画像処理や誤り訂正符号（ＥＣＣ）などを施す方法や、すべてのページに共通のノイズパターンを仮定して画像処理を行う方法などがある。さらには、記録媒体に起因するノイズや外光によるノイズの影響を低減する方法も知られている（特許文献１参照）。この方法では、Ｓ偏光及びＰ偏光を含む光ビームを偏光分離し、Ｓ偏光にのみ信号を付与した後、再び合波してホログラム記録媒体に照射する。再生時には、Ｓ／Ｐ偏光成分の画像を独立に検出し、両者の画像の差信号を求めることで、共通なノイズ成分を除去するものである。
【０００６】
【特許文献１】特開平１３−２９１２４２号公報
【発明の開示】
【発明が解決しようとする課題】
【０００７】
上述した従来のノイズを除去する方法では、Ｓ偏光とＰ偏光を分離するため、それぞれの光路を設ける必要があり、光学系が大型化するという問題がある。また、上記方法では、Ｓ偏光の光路上に設けられた空間光変調器（ＳＬＭ）に由来するノイズは除去することができないという問題もある。
【０００８】
したがって、本発明の目的は、簡単な構成により、再生像に重畳されているノイズ成分を除去することが可能なホログラフィック記録再生システムを提供することを目的とする。
【課題を解決するための手段】
【０００９】
本発明の上記目的は、信号光および参照光をホログラフィックメモリに照射することによりデータを光の干渉パターンとして記録するとともに、前記ホログラフィックメモリに参照光を照射することによって得られる再生像からデータを再生するホログラフィック記録再生システムであって、前記ホログラフィックメモリの所定のページにおけるノイズパターンを検出するノイズパターン検出手段と、前記ノイズパターンを前記ホログラフィックメモリに記録するノイズパターン記録手段と、前記ホログラフィックメモリの所定のページから再生像を読み出すデータ再生手段と、前記ノイズパターン検出手段で予め検出したノイズパターンを用いて前記再生像からノイズ成分を除去するノイズ除去手段を備えているホログラフィック記録再生システムによって達成される。
【００１０】
本発明の好ましい実施形態において、前記ノイズパターン検出手段は、無変調の信号光を前記ホログラフィックメモリの所定のページに照射する信号光照射手段と、前記ホログラフィックメモリを透過または反射した前記信号光を受光する受光手段と、前記受光手段からのノイズパターンを圧縮するノイズパターン処理手段を備えている。またノイズパターンを記録する記録手段をさらに備えていてもよい。
【００１１】
本発明のさらに好ましい実施形態において、前記ノイズパターン記録手段は、前記ホログラフィックメモリ内の各ページで検出されたノイズパターンを本来記録すべきデータとともに当該ページ内に記録する。
【００１２】
本発明のさらに好ましい実施形態において、前記ノイズパターン記録手段は、前記ホログラフィックメモリ内の各ページで検出された前記ノイズパターンを本来記録すべきデータとは別に前記ホログラフィックメモリの所定の領域に集中的に記録する。
【００１３】
本発明のさらに好ましい実施形態において、前記ノイズパターン検出手段は、前記ノイズパターンをグレースケールで検出する。
【００１４】
本発明のさらに好ましい実施形態において、前記ノイズパターン検出手段は、前記ホログラフィックメモリの各ページにおけるノイズパターンを順に検出する場合に、所定のページ間隔毎にノイズパターンを検出する。
【００１５】
本発明のさらに好ましい実施形態において、前記データ再生手段は、ノイズパターンが記録されていないページのデータを再生する場合に、その前後のページのノイズパターンを用いて補間処理を行うことによって得られたノイズパターンを用いて前記再生像からノイズ成分を除去する。
【００１６】
本発明のさらに好ましい実施形態において、前記ノイズ除去手段は、位相コード多重記録または波長多重記録によって複数のデータが同じ場所に記録されている場合に、各データに共通のノイズパターンを用いて前記再生像からノイズ成分を除去する。
【発明の効果】
【００１７】
以上説明したように、本発明によれば、簡単な構成により、再生像に重畳されているノイズ成分を除去することが可能なホログラフィック記録再生システムを提供することができる。
【発明を実施するための最良の形態】
【００１８】
以下、添付図面を参照しながら、本発明の好ましい実施形態について詳細に説明する。
【００１９】
図１は、本発明の好ましい実施形態にかかるホログラフィック記録再生システムの構成を示す模式図である。
【００２０】
図１に示されるように、このホログラフィック記録再生システム１００は、記録再生用およびノイズパターン検出用のレーザ光源１０１を備えている。レーザ光源１０１としては、波長安定性の高い固体レーザやガスレーザが使用される。レーザ光源１０１から出射したビームの進行方向には、ビームエキスパンダ１０２およびビームスプリッタ１０３が設けられている。
【００２１】
ビームスプリッタ１０３によって分割された一方のビームである信号光１２１の進行方向には、ミラー１０４が設けられており、ミラー１０４によって反射したビームの進行方向には、空間光変調器（ＳＬＭ）１０５、フーリエ変換レンズ１０６、逆フーリエ変換レンズ１０７およびＣＣＤイメージセンサ１０８が順に設けられている。そしてフーリエ変換レンズ１０６と逆フーリエ変換レンズ１０７との間にホログラフィックメモリ１２０が配置されている。ＳＬＭ１０５は、多数の画素がマトリックス配置されたものであり、画素ごとに光の通過または遮断を制御するものである。画素がオフのとき光は遮断されるが、画素がオンになると光は通過することができる。一方、ビームスプリッタ１０３によって分割された他方のビームである参照光１２２の進行方向には、シャッター１０９およびミラー１１０が設けられている。ミラー１１０の向きは、参照光がホログラフィックメモリ１２０内の所定の位置で信号光と交差するように設定されている。ホログラフィックメモリ１２０としては透過型のものが使用される。
【００２２】
ホログラフィック記録再生システム１００はさらに、ホログラフィックメモリ１２０を駆動する駆動装置１３１と、駆動装置１３１およびＳＬＭ１０５を制御するコントローラ１３２と、ＣＣＤイメージセンサ１０８によって検出された再生像を処理してデータを再生する画像処理回路１３３と、データを記録する外部記録装置１３４を備えている。
【００２３】
以上のように構成されたホログラフィック記録再生システム１００において、ホログラフィックメモリ１２０のノイズパターンの検出は次のように行われる。
【００２４】
図２は、本発明の好ましい実施形態にかかるノイズパターンの検出について説明するための模式図である。
【００２５】
ノイズパターンの検出では、まず図１に示したシャッター１０９が予めオンに設定されて参照光１２２が遮断されるとともに、図２に示されるように、信号光１２１全体を通過させるべくＳＬＭ１０５の各画素がすべてオンに設定される。
【００２６】
次いで、レーザ光源１０１からビームが照射される。レーザビームは、ビームエキスパンダ１０２によってビーム径が拡大されかつ平行光にされた後、ビームスプリッタ１０３に入射する。ビームスプリッタ１０３に入射したビームは信号光１２１と参照光１２２に分割されるが、参照光１２２はシャッター１０９によって遮断されるので、信号光１２１のみがホログラフィックメモリ１２０に照射される。ここで、ＳＬＭ１０５の各画素はすべてオンなので、信号光１２１は空間的に変調されることなくＳＬＭ１０５をそのまま通過し、フーリエ変換レンズ１０６によって集光されて、ホログラフィックメモリ１２０に照射される。
【００２７】
ホログラフィックメモリ１２０上に照射されたビームはホログラフィックメモリ１２０を透過し、逆フーリエ変換レンズ１０７を通過してＣＣＤイメージセンサ１０８に照射される。
【００２８】
ここで、未記録状態のホログラフィックメモリに無変調の信号光を照射した場合、本来ならばムラのない一様なパターンの再生像が検出されるが、ノイズが存在している場合には図２に示されるようにムラのあるパターンが検出される。このようなノイズパターンは、上述したように、光源やレンズなどの光学系、メディア自身、あるいはＳＬＭやＣＣＤなどの入出力デバイスに由来するものと考えられる。
【００２９】
ＣＣＤイメージセンサ１０８によって検出されたノイズパターンは、画像処理回路１３３において通常よりも粗い解像度のイメージとして処理される。例えば、本実施形態においては、２×２ドットのビットパターンが１ドットのデータとして取り扱われる。よって図示のように、ＣＣＤの画素全体が例えば１２×１２ドットで構成されている場合には、６×６ドットのイメージパターンとして取り扱われる。画像処理回路１３３で処理されたノイズパターンは、外部記録装置１３４に記録される。
【００３０】
図３は、本発明の好ましい実施形態にかかるホログラフィックメモリへのデータの記録について説明するための模式図である。
【００３１】
データの記録では、まず図１に示したシャッター１０９が予めオフに設定されて参照光の通過が可能になるとともに、図３に示されるように、記録すべきデータに応じてＳＬＭ１０５の各画素がオンまたはオフのいずれかに設定される。
【００３２】
次いで、レーザ光源１０１からビームが照射される。レーザビームは、ビームエキスパンダ１０２によってビーム径が拡大されかつ平行光にされた後、ビームスプリッタ１０３に入射する。ビームスプリッタ１０３に入射したビームは信号光１２１と参照光１２２に分割される。信号光１２１はミラー１０４で反射し、ＳＬＭ１０５を通過した後にホログラフィックメモリに照射される。このとき、ＳＬＭ１０５の各画素のオン・オフに応じて信号光１２１は空間的に変調される。この信号光はフーリエ変換レンズ１０６によって集光されて、ホログラフィックメモリ１２０に照射される。一方、参照光１２２もミラー１１０で反射して、ホログラフィックメモリ１２０に照射される。信号光１２１と参照光１２２はホログラフィックメモリ１２０の内部で交差することで干渉し合い、これによりホログラフィックメモリ１２０内部には干渉縞が形成される。すなわち、データが光の干渉パターンとして記録される。
【００３３】
図４は、本発明の好ましい実施形態にかかるホログラフィックメモリからのデータの再生について説明するための模式図である。
【００３４】
データの再生では、まず図１に示したシャッター１０９が予めオフに設定されて参照光の通過が可能になるとともに、ＳＬＭ１０５の各画素がすべてオフに設定されて信号光が遮断される。
【００３５】
次いで、レーザ光源１０１からビームが照射される。レーザビームは、ビームエキスパンダ１０２によってビーム径が拡大されかつ平行光にされた後、ビームスプリッタ１０３に入射する。ビームスプリッタ１０３に入射したビームは信号光１２１と参照光１２２に分割される。信号光１２１はミラー１０４で反射し、ＳＬＭ１０５に入射するが、ＳＬＭ１０５のすべての画素がオフになっているため、信号光１２１はＳＬＭ１０５によって遮断され、参照光１２２のみがホログラフィックメモリ１２０に照射される。参照光１２２はホログラフィックメモリ１２０内部に形成された干渉パターンによって信号光１２１と同じように空間的に変調されかつ信号光１２１の進行方向に回折する。したがって、この参照光１２２は逆フーリエ変換レンズ１０７を通過してＣＣＤイメージセンサ１０８に照射される。
【００３６】
ＣＣＤイメージセンサ１０８によって検出された再生像は、画像処理回路１３３において通常の高解像度のイメージデータとして処理される。例えば本実施形態においては、１２×１２ドットのパターンとして取り扱われる。一方、外部記録装置からは対応するノイズパターンが読み出される。ここで、ノイズパターンは６×６ドットの低解像度に変換されているため、１ドットが２×２ドットに拡張され、全体として１２×１２ドット相当に拡張される。そして、ＣＣＤイメージセンサ１０８で検出された再生像から定数倍（α倍）されたノイズパターンを差し引くことによってノイズが除去された再生像が求められる。この再生像を用いて復号処理が行われる。
【００３７】
以上のようなノイズパターンの検出、データの記録およびデータの再生をページ単位で順次行っていき、最終的にはホログラフィックメモリ全体に対してノイズパターンの検出、データの記録およびデータの再生が行われる。
【００３８】
以上説明したように、本実施形態によれば、未記録状態のホログラフィックメモリに無変調の信号光のみを照射したときにＣＣＤイメージセンサで検出される像をノイズパターンとして確保しておき、データ再生時にはＣＣＤイメージセンサで検出された再生像から予め求めておいたノイズパターンを差し引くので、簡単なシステム構成により、再生像に重畳されているノイズ成分を除去することができる。
【００３９】
上述したノイズパターンの検出では、２値のバイナリパターンとして求めたが、ノイズパターンを多値のグレースケールとして求めてもよい。
【００４０】
図５は、ノイズパターンの検出の他の例を示す模式図である。
【００４１】
図５に示されるように、ＣＣＤイメージセンサ１０８としては５段階のグレースケールのものが使用される。ＣＣＤによって検出されたグレースケールのノイズパターンは、そのまま外部記録装置１３４に記録される。そして、このノイズパターンを用いて再生像からノイズを除去することで、より高精度なノイズ除去を行うことができる。
【００４２】
上述したノイズパターンの検出は、ホログラフィックメモリ１２０上のすべてのページに対して行ってもよいが、一定のページ間隔毎に行われてもよい。特に、シフト多重記録によってデータを記録する場合にはより好適である。
【００４３】
図６は、シフト多重記録を行う場合におけるノイズパターンの検出位置の一例を示す模式図である。
【００４４】
図６（ａ）に示されるように、本実施形態においては、ホログラフィックメモリ１２０上において重なり合うように設定されたページに対して５回に１回の間隔でノイズパターン検出が行われる。ここでは図示のように、２番目、７番目、１２番目のページにおいてノイズパターンの検出が行われる。このようにすれば、ノイズパターンのデータ量が膨大になる事態を抑えることができる。
【００４５】
またこの場合において、ノイズパターンの検出を行わなかったページに記録されたデータを再生する場合には、前後のページで求めたノイズパターンに対して補間処理を行うことによって得られたノイズパターンを使用して、再生像からノイズを除去することが好ましい。このようにすれば、ノイズパターンをある程度予測して適切なパターンを求めることができるので、すべてのページのノイズパターンを求めることなくすべてのページでノイズの除去を行うことが可能となる。
【００４６】
さらに、ノイズパターンの補間処理では、グレースケールを用いてもよい。例えば図６（ａ）に示した２番目と７番目のページでノイズパターンがバイナリパターンとして求められた場合に、その間の３番目から６番目までのページのノイズパターンは、補間処理によってグレースケールのパターンとして求める。このようにすることで、さらに精度の高い補間処理を行うことができる。
【００４７】
前記実施形態においては、検出されたノイズパターンが外部記録装置１３４に記録される場合を説明したが、ノイズパターンが実際のデータとともにメディア自身（ホログラフィックメモリ１２０）に記録されてもよい。この場合、ホログラフィックメモリ１２０へのデータの記録に先立って、まず図２に示したノイズパターンの検出が行われることは図３に示したデータの記録の場合と同様である。次いで、求められたノイズパターンの記録と共にデータの記録が行われる。
【００４８】
図７は、本発明の他の好ましい実施形態にかかるホログラフィックメモリへのデータの記録を説明するための模式図である。
【００４９】
データの記録では、まず図１に示したシャッター１０９が予めオフに設定されて参照光の通過が可能になるとともに、図７に示されるように、記録すべきデータに応じてＳＬＭ１０５の各画素がオンまたはオフのいずれかに設定される。ここで、本実施形態においては、本来記録されるべき実際のデータとともに、そのページで検出されたノイズパターンも記録される。本実施形態においては、ＳＬＭの全画素が１２×１２ドットであるのに対しノイズパターンは６×６ドットであり、ノイズパターンは記録データ全体の１／４を占めている。例えば１２×１２ドットのうち右下の６×６ドットにノイズパターンが記録され、残りの領域に実際のデータが記録されるようにＳＬＭの各画素が設定される。
【００５０】
次いで、レーザ光源からビームを照射する。ビームは、ＮＤフィルタで余分な光量が除去され、ビームエキスパンダによってビーム径が拡大されかつ平行光にされた後、ミラーで反射して、ビームスプリッタに入射する。入射したビームはビームスプリッタによって信号光と参照光に分割される。信号光はＳＬＭを通過した後にホログラフィックメモリに照射される。このとき、ＳＬＭの各画素のオン・オフに応じて信号光が空間的に変調される。この信号光はフーリエ変換レンズによって集光されて、ホログラフィックメモリに照射される。一方、参照光も２つのミラーで反射して、ホログラフィックメモリに照射される。信号光と参照光はホログラフィックメモリの記録層内で交差することで干渉し合い、これにより記録層内には干渉縞が形成される。すなわち、データおよびノイズパターンが光の干渉パターンとして記録される。
【００５１】
データの再生では、図４を参照しながら説明したとおり、参照光を照射することによって再生像を検出することができる。ここで、この再生像にはノイズパターンが含まれているので、まず再生像からノイズパターンを取り出した後、ＣＣＤイメージセンサ１０８で検出された再生像から定数倍（α倍）されたノイズパターンを差し引くことによってノイズが除去された再生像が求められる。この再生像を用いて復号処理が行われる。
【００５２】
以上説明したように、本実施形態によれば、所定のページにおいて実際に記録すべきデータとともに当該ページのノイズパターンが記録されるので、大容量の外部記録装置が不要となる。
【００５３】
なお、ノイズパターンをメディア内に記録する場合には、ノイズパターンのデータ量を極力少なくすることが好ましい。したがって、この場合には全ページのノイズパターンを検出して記録するのではなく、図６（ａ）に示したように、一定のページ間隔毎にノイズパターンの検出を行うことが好ましい。さらに図６（ｂ）に示したように、ノイズパターンの検出を行わなかったページに記録されたデータの再生では、前後のページで求めたノイズパターンに対して補間処理を行うことによって得られたノイズパターンを使用して、再生像からノイズを除去することが好ましい。なお、シフト多重記録を行うにおいてノイズパターンの検出を行わなかったページには、ノイズパターンを記録する必要がなく、よってノイズパターンが記録されない分だけより多くのデータを記録することができる。
【００５４】
図８（ａ）および（ｂ）は、ホログラフィックメモリ上の同一位置に多重記録を行う場合を説明するための模式図であり、図８（ａ）は位相コード多重記録を行う場合、図８（ｂ）は波長多重記録を行う場合をそれぞれ示している。
【００５５】
図８（ａ）に示されるように、位相コード多重の場合には、同じ場所に位相コードを変えて複数回データが記録されるので、同じ場所での位相コード多重記録に対しては、１つのノイズパターンを共有することができる。また図８（ｂ）に示されるように、波長多重の場合には、同じ場所に波長を変えて異なるデータが記録されるので、同じ場所の波長多重記録に対しても、１つのノイズパターンを共有することができる。なお、位相コード多重を行う場合には、図１に示したシステムにおいて、参照光を変調するためのＳＬＭがさらに必要となる。また、波長多重を行う場合には、波長の異なる複数のレーザ光源がさらに必要となる。
【００５６】
本発明は、以上の実施形態に限定されることなく、特許請求の範囲に記載された発明の範囲内で種々の変更を加えることが可能であり、これらも本発明に包含されるものであることは言うまでもない。
【００５７】
例えば、前記実施形態においては、各ページで検出されたノイズパターンを本来記録すべきデータとともに当該ページ内に記録する場合を説明したが、各ページで検出された前記ノイズパターンを本来記録すべきデータとは別に前記ホログラフィックメモリの所定の領域に集中的に記録しても構わない。
【００５８】
また、前記実施形態においては、透過型のホログラフィックメモリを用いた場合を例に説明したが、反射型のホログラフィックメモリを用いても構わない。その場合に、ホログラフィックシステム全体の構成も適宜変更する必要があることはいうまでもない。
【００５９】
また、前記実施形態においては、再生像から予め定数倍（α倍）されたノイズパターンを差し引く差分演算によって、再生像のノイズを除去しているが、αはメディア全体にわたって共通の値にしてもよく、メディア内の位置、信号光や参照光の入射角、位相コードなどに応じて最適化した定数（群）であってもよい。また、単なる差分演算ではなく、例えば高次式、指数関数、対数関数、三角関数など、ノイズパターンに基づくどのような関数を採用しても構わない。
【図面の簡単な説明】
【００６０】
【図１】図１は、本発明の好ましい実施形態にかかるホログラフィック記録再生システムの構成を示す模式図である。
【図２】図２は、本発明の好ましい実施形態にかかるノイズパターンの検出について説明するための模式図である。
【図３】図３は、本発明の好ましい実施形態にかかるホログラフィックメモリへのデータの記録について説明するための模式図である。
【図４】図４は、本発明の好ましい実施形態にかかるホログラフィックメモリからのデータの再生について説明するための模式図である。
【図５】図５は、ノイズパターンの検出の他の例を示す模式図である。
【図６】図６は、シフト多重記録を行う場合におけるノイズパターンの検出位置の一例を示す模式図である。
【図７】図７は、本発明の他の好ましい実施形態にかかるホログラフィックメモリへのデータの記録を説明するための模式図である。
【図８】図８（ａ）および（ｂ）は、ホログラフィックメモリ上の同一位置に多重記録を行う場合を説明するための模式図であり、図８（ａ）は位相コード多重記録を行う場合、図８（ｂ）は波長多重記録を行う場合をそれぞれ示している。
【符号の説明】
【００６１】
１００      ホログラフィック記録再生システム
１０１      レーザ光源
１０２      ビームエキスパンダ
１０３      ビームスプリッタ
１０４      ミラー
１０５      空間光変調器（ＳＬＭ）
１０６      フーリエ変換レンズ
１０７      逆フーリエ変換レンズ
１０８      ＣＣＤイメージセンサ
１０９      シャッター
１１０      ミラー
１２０      ホログラフィックメモリ
１２１      信号光
１２２      参照光
１３１      駆動装置
１３２      コントローラ
１３３      画像処理回路
１３４      外部記録装置
【図１】
2005070675.tif 000003
【図２】
2005070675.tif 000004
【図３】
2005070675.tif 000005
【図４】
2005070675.tif 000006
【図５】
2005070675.tif 000007
【図６】
2005070675.tif 000008
【図７】
2005070675.tif 000009
【図８】
2005070675.tif 000010